(57)【特許請求の範囲】
【請求項１】
回転装置で回転可能な回転遊具であって、
前記回転装置が、
基体上に配置された駆動モータと、
前記駆動モータにより回転される回転軸に軸支されたクランクと、
前記クランクに固定されクランクとともに回転する回転板とを備え、
前記回転装置の基体に、略逆Ｕ字状の枠体を立設し、
当該枠体に、前記回転装置の回転板が吊下げられ、
回転装置の回転板に遊戯部材を固定し、前記回転板とともに、前記遊戯部材が回転し、
前記遊戯部材が偏心して回転することを特徴とする回転遊具。
【請求項２】
前記クランクが、回転板を水平に支持する支持体と、当該支持体を回転軸に軸支する固
定具とを備え、
前記支持体が水平面に対して傾斜した状態で前記回転軸に軸支されることで、前記回転
板が、水平面に対して傾斜した状態で固定される請求項１に記載の回転遊具。
【請求項３】
前記遊戯部材の一部に衝撃吸収材を被覆し、前記衝撃吸収材表面にゴム樹脂を塗布した
請求項１または２に記載の回転遊具。
【請求項４】
前記衝撃吸収材がウレタンである請求項３に記載の回転遊具。
【請求項５】
前記回転板に車輪を備える請求項１から４いずれか一項に記載の回転遊具。
【請求項６】
前記回転装置の基体と回転板間に、前記回転板の自転を規制する規制手段を更に備える
請求項１から５いずれか一項に記載の回転遊具。
【請求項７】
前記遊戯部材は、前記回転板の上方に固設された支持台と、前記支持台から吊り下げら
れ、前記回転板の回転により旋回移動する複数の掴持部材とを含む請求項１から６いずれ
か一項に記載の回転遊具。
【請求項８】
前記遊戯部材は、前記回転板の上面に固設され、外部空間から仕切られた、ユーザが遊
戯する遊戯領域を形成するための枠体と、
前記遊戯領域を少なくとも２つの階層状の空間に区分けする１又は複数の部材からなる
床部材とを備え、
前記床部材には、上下に隣り合う空間を互いに連通させる連通部が形成される請求項１
から７いずれか一項に記載の回転遊具。
【請求項９】
前記回転板に配置される揺動装置を備えた回転遊具であって、
前記揺動装置が、
下側枠体内に回転可能に設けられた下側回転軸と、
前記下側回転軸に固定される揺動部材と、
前記揺動部材内に回転可能に設けられる、前記下側回転軸と直交する方向の上側回転
軸と、
前記上側回転軸に固定される揺動板と、
前記揺動板に固定される上側枠体と、
前記上側枠体を上下動可能なモータとを備える、請求項１から８いずれか一項に記載
の回転遊具。
【発明の詳細な説明】
【技術分野】
【０００１】
本発明は、遊具に関し、特にユーザが意外と感じる動作を可能とする回転装置を備えた回転遊具である。
【背景技術】
【０００２】
現在遊具には様々な動きを伴う機能が開発されており、例えば、スーパーやデパート等には下記特許文献１に開示のような、コインを投入することで揺動や回転する乗物遊技装置（以下遊具と称す）が設置されている。
【先行技術文献】
【特許文献】
【０００３】
【特許文献１】特開平０７−０９８７８２
【発明の概要】
【発明が解決しようとする課題】
【０００４】
上記従来技術に記載の遊具は、通常の回転や揺動等のように動作が限られており、遊具を使用するユーザが意外であると感じる動作をする乗り物ではない。このような動きをさせるためには、通常複雑な制御を必要とし、制御盤等の構築に専門的な知識や職人的な感覚を要する。したがって、遊具の変更やメンテナンスをするにも制御線の接続を切り換える等の処理が必要となり、多大な労力を必要とする。また、遊具には安全性を確保するためにメンテナンスを頻繁にする必要があるので、従来技術のような複雑な制御を必要とする機構を遊具に備えることはできなかった。
【０００５】
一方、意外な動きをする遊具に対する需要は多く、簡単な構成でこのような動きを可能とし、変更やメンテナンスがしやすい機構を備えた遊具が要請されていた。本発明は、簡単な構成で意外な動きを行う遊具の提供を目的とする。
【課題を解決するための手段】
【０００６】
上記課題を達成するための本発明は、回転装置で回転可能な回転遊具を前提とする。そして、本発明の回転遊具の回転装置は、基体上に配置された駆動モータと、クランクと、回転板とを備える。
クランクは、駆動モータにより回転される回転軸に固定される。回転板は、クランクに固定されて、クランクとともに回転する。そして、回転装置の回転板に遊戯部材を固定し、回転板とともに、遊戯部材が回転し、遊戯部材が偏心して回転することを特徴とする。
【０００７】
上記の構成であれば、駆動モータの回転軸にクランクを介して回転板が固定されることで、駆動モータによって回転軸が回転すると、回転板が偏心して回転する（回転板の中心に対して所定距離離れた位置を軸として回転する）ことになる。そして、回転板はクランクが固定した位置を中心として自転するので、ユーザの予想のつかない動きをすることになる。回転装置に固定される遊戯部材はどのような構成でもよく、任意の遊戯部材を偏心して回転させることができ、さらに複雑な動きを生じさせることが可能となる。回転板が傾斜していると、回転板の下面から床までの距離が異なることになるので、床までの高さを等しくするための調整部材を介して上記車輪を回転板下面に固定することが望ましい。なお、調整部材の高さは車輪が配置される位置に応じて決定されることになる。
【０００８】
上記の構成において、クランクが、回転板を水平に支持する支持体と、当該支持体を回転軸に固定する固定具とを備える構成を採用することができる。そして、支持体が水平面に対して傾斜した状態で回転軸に固定されることで、回転板が、水平面に対して傾斜した状態で固定される構成を採用することができる。このように、回転板が水平面に対して傾斜した状態で回転軸に固定されていることで上記傾斜した状態で偏心回転することになる。
【０００９】
上記の構成において、遊戯部材の一部にウレタンを被覆し、当該ウレタン表面にゴム樹脂を塗布することで、ウレタン部材及びゴム樹脂が衝撃吸収材として機能し、安全を配慮した遊具となる。
上記の構成において、回転板に車輪を備えることで、さらに容易に上記遊具部を回転させることができる。
【００１０】
上記の構成において、回転装置の基体に、略逆Ｕ字状の枠体を立設して、当該枠体に、回転装置の回転板が吊下げられる構成を採用することで、回転板を更に容易に回転させることが可能となる。
更に、回転装置の基体と回転板間に、回転板の自転を規制する回転規制手段を更に備える構成を採用することができる。回転板は、駆動モータの回転軸を中心として偏心回転しながら、自転することになるので、回転規制装置で、回転板の自転回転を規制する構成を採用することで、回転遊具を設置する部屋が十分広くない場合には、回転板の自転を制限した構成の回転遊具を提供することも可能となる。
【００１１】
上記遊戯部材は、回転板の上方に固設された支持台と、支持台から吊り下げられ、回転板の回転により旋回移動する複数の掴持部材とを含む構成を採用することができる。更に、遊戯部材が回転板の上面に固設され、外部空間から仕切られた、ユーザが遊戯する遊戯領域を形成するための枠体と、遊戯領域を少なくとも２つの階層状の空間に区分けする１又は複数の部材からなる床部材とから構成する。そして、床部材には、上下に隣り合う空間を互いに連通させる連通部が形成される構成を採用することができる。
【００１２】
回転板に配置される揺動装置を備えた回転遊具を構成することも可能である。当該揺動装置が、下側枠体内に回転可能に設けられた下側回転軸と、揺動部材と、下側枠体とを備える。上記揺動部材は、下側回転軸に固定される。そして、揺動部材内には上側回転軸が回転可能に設けられ、揺動板が、当該上側回転軸に固定される。更に、上側枠体が、揺動板に固定され、上側枠体がモータにより上下動可能な構成となっている。
【００１３】
揺動部材が下側回転軸に固定されることで、揺動部材が当該下側回転軸に対して揺動することが可能となる。更に、揺動板が、上側回転軸に固定されることで、揺動板が、上側回転軸に対しても揺動することが可能となる。したがって、揺動板に固定された上側枠体が、装置の前後左右いずれの方向に対しても揺動可能な揺動装置を構成することが可能となる。
【発明の効果】
【００１４】
本発明の回転遊具によると、駆動モータにクランクを取り付け、クランクの一方端を回転板に取り付けることで、回転板を偏心して回転させることが可能となる。更に、回転板は、クランクが固定されている位置を中心として自転することになるので、簡単な構成で複雑な動きを回転遊具に行わせることが可能となる。従って、変更やメンテナンスが簡単で、ユーザの予想がつかない動きをする遊具を提供することが可能となる。
【００１５】
更に、基体と回転板を接続する規制手段を備えることで、上記回転板の自転を規制することができるので、遊具を設置する部屋に応じて、遊具の動きを制御させることが可能となる。
【図面の簡単な説明】
【００１６】
【図１】本発明の実施形態に係る回転装置の全体構成を示す図である。
【図２】本発明の実施形態に係る回転装置を備えた回転遊具の一例を示す図である。
【図３】本発明の実施形態に係る回転装置を備えた回転遊具の一例を示す図である。
【図４】本発明の実施形態に係る回転装置を備えた回転遊具の一例を示す図である。
【図５】本発明の実施形態に係る回転装置を備えた回転遊具の一例を示す図である。
【図６】本発明の実施形態に係る回転装置を備えた回転遊具の一例を示す図である。
【図７】本発明の実施形態に係る回転装置に配置される遊戯部の一例を示す図である。
【図８】本発明の実施形態に係る揺動装置の機構部分の一例を示す拡大斜視図である。
【図９】本発明の実施形態に係る揺動装置を備えた回転遊具の一例を示す図である。
【図１０】本発明の実施形態に係る回転装置に配置される映写装置の一例を示す図である。
【発明を実施するための形態】
【００１７】
（実施の形態１）
以下に、本発明の回転遊具２００を回転可動する回転装置１００について図面を参照して説明する。図１は、本発明の回転装置１００の概略模式図である。ただし、本発明に直接には関係しない各部の詳細は省略している。
ユーザは、所望の遊具（以下回転装置１００に取り付けられる構造物のことを遊戯部材２１０と称す）に本発明の回転装置１００を配置することで、所定の回転軸周りに偏心して回転する遊具を構成することができる。
【００１８】
すなわち、図１（Ａ）に示すように、本発明の回転装置１００は、駆動手段である駆動モータ１１１と、所定の回転軸と当該回転軸に対して所定距離ずれた軸とを結ぶ柄からなる軸移動手段（例えば、クランク１１２）を備える。
まず、基体１１０上に（モータ１１１及び、後述の弾性体が配置可能であれば形状は任意である）駆動モータ１１１を配置する。駆動モータ１１１の回転軸には、上記軸移動手段（クランク１１２）を取りつけて、当該駆動モータの回転軸を所定の範囲ずらすように構成する。すなわち、クランク１１２の一方端は駆動モータ１１１の回転軸と同じ軸上で回転し、クランク１１２の他端は、当該回転軸に対して偏心して回転することになる。もちろん、駆動モータ１１１の作動をさせるためのスイッチ（図示せず）が回転装置１００に設けられることは言うまでもない。当該スイッチにより駆動モータ１１１の回転速度を制御可能となるように構成しても構わない。
【００１９】
更に、駆動モータ１１１の過負荷を保護する図示しない過負荷保護手段（例えば、トルクリミッタ）を上記駆動モータ１１１の回転軸又は、上記クランク１１２に取り付けてもよい。後述のように、駆動モータ１１１の上方には、ヨット等を模した遊戯部材２１０が配置されるため、本発明の回転遊具２００での遊戯を望むユーザの体重分の荷重が当該駆動モータ１１１にかかることになる。所定以上の荷重が駆動モータ１１１にかかると、上記過負荷保護手段が、当該荷重を検知し、駆動モータ１１１を空回りさせる。そうすると、クランクに固定された回転板１１５（後述する）の駆動モータ１１１による自動回転が中止され、ユーザの望む方向への遊戯部材の回転移動（手動回転）が可能となる。
【００２０】
上記のように、駆動モータ１１１の回転軸には、上記クランク１１２の一方端が取り付けられる。一方、クランク１１２の他端には、回転板１１５が取り付けられる。上記回転板１１５の形状は、遊戯部材２１０を取り付けることができる形状であればよく、矩形状、多角形状、円形状等多種の形状の回転板１１５を取り付けることができる。本実施例のように（図１（Ｂ）参照）、回転装置１００に取り付ける遊戯部材２１０の基体（後述する）と相似形状の回転板１１５を採用することもできる。
【００２１】
図２に示すように、上記回転板１１５上方には遊戯部材２１０の基体となる遊戯部基体２１１が固定される。本実施例では、ボルト２２１及びナット２２２により固定される。遊戯部基体２１１がクランク１１２を介して回転板１１５に固定されることで、クランク１１２がモータ１１１の回転により回転すると、それにともない遊戯部基体２１１も回転することになる。
【００２２】
上記回転板１１５下方には、車輪１３０が装着される。上記車輪１３０は、回転装置１００を上面視したとき互いに対称となる位置に装着される。本実施例では、図１（Ｂ）に示すように、回転板１１５前後に各一つずつ及び、両側面に２つずつ合計６個装着する。なお、上記車輪１３０の高さを調節する高さ調節手段１３１を更に備えても構わない。
上記駆動モータ１１１が作動すると駆動モータ１１１の回転軸に取り付けたクランク１１２を介して上記回転板１１５が偏心して回転する（回転軸がずれた状態で回転することを意味する）。このとき、上記回転板１１５は、上記駆動モータ１１１の回転軸を中心として回転しながら、回転板１１５が自転することになる。この回転板１１５が自転する速度は一定ではなく、回転板１１５の自転速度が予想外となる。したがって、後述のように、当該回転板１１５に遊戯部材２１０を固定すると、遊戯部材２１０がユーザにとって予想外の動きをすることになる。
【００２３】
本発明の回転遊具２００には、所定の衝撃吸収材が被覆される。この衝撃吸収材は、回転遊具２００の外枠にウレタン等の発泡体を被覆する。例えば、中級円筒の衝撃吸収材の一方側面を切断して棒状の表面に被覆可能に形成する。そして、衝撃吸収材を回転遊具２００の一部（遊具すべてでもよく、支柱等ユーザが接触することが予想される部分でもよい。）に被覆した後、当該衝撃吸収材の表面に、ゴム樹脂を塗布することで、衝撃吸収材の表面を撥水加工する。もちろん、ゴム樹脂を塗布する際に、上記衝撃吸収材の側面（切断した部分）も閉じられることになる。なお、上記衝撃吸収材は、ウレタン以外の組成物であってもよく、ポリエチレン等の発泡体等の衝撃吸収材が好適に用いられる。
【００２４】
上記回転板１１５の自転を規制するための規制手段１４０を設けることもできる。当該規制手段１４０は、駆動モータ１１１が配置された基体１１０と、回転板１１５とを連結する弾性体（ゴムやバネ等が好適に用いられる）である。規制手段１４０は、回転板１１５の自転を規制するように構成できれば、その配置方法は任意である。本実施例では、図１（Ｃ）に示すように、上記基体１１０の端部付近から、回転板１１５の下面に傾斜するように、上記規制手段１４０を配置する構成を採用する。その他、上記基体１１０の端部付近から、直角方向の位置の回転板１１５下面に上記規制手段１４０を配置する構成を採用してもよい。
【００２５】
上記規制手段１４０の形状も回転板１２１の自転を規制できるのであれば任意である。本実施例では帯状又は、棒状のゴムを一対形成し、当該一対のゴムを上記のような位置に配置する構成を採用した。ゴム等で規制手段１４０を構成することで、回転板１１５が自転を規制されるので、揺動しながら、上記駆動モータ１１１の回転軸を中心として回転することになる。
【００２６】
規制手段１４０のその他の形状として、上記ゴムを円筒状又は、円錐台状に形成し、上記円筒状又は、円錐台状のゴムの一方端を上記基体１１０に接続し、ゴムの他端を上記回転板１２１に接続する構成を採用することもできる。
図２に示すように、上記のように構成した回転装置１００の回転板１１５と、ヨット等を模した遊戯部材２１０の底板（遊戯部基体２１１に相当する）とが固定されることになる。本実施例では、公知のボルト２２１とナット２２２を用いて上記回転板１１５と、遊戯部材２１０の基体２１１とを固定した。なお、支柱２１２を備えるタイプの遊戯部材２１０（例えば、図２のヨットやウインドサーフィンを模した遊戯部材２１０）の場合、上記支柱２１２下部にリブ２２５を設けて、当該支柱２１２を補助することが望ましい。
【００２７】
本発明の回転装置１００に固定される遊戯部材２１０は、どのような形状でもよく、ヨットやサーフィンの他、ジャングルジム、ツリー（木を模した遊具であって、当該木に登れるようになっている）等のすべての遊戯部材２１０を上記回転装置１００で回転させることが可能となる。
【００２８】
（実施の形態２）
実施の形態１では、クランク１１２の一方端（他端は駆動モータ１１１の回転軸に取り付けられる）に回転板１１５を水平に取り付ける構成を採用した。これに対して、クランク１１２の上記一方端に、回転板１１５を傾斜させた状態で取り付ける構成を採用することができる。
【００２９】
まず、図３（Ａ）に示すように、回転板を水平に載置可能な支持体１１２ａを形成する。支持体１１２ａの上部又は、側面で回転板１１５を水平に支持可能であればその形状は任意であり、例えば、円柱、四角柱、三角柱等の支持体１１２ａが形成可能である。本実施例では、円柱状の支持体１１２ａを形成し、円柱の上面で回転板１１５を水平に載置することができる。
【００３０】
上記支持体１１２ａの回転板１１５を載置する部分が水平面に対して傾斜した状態で、当該支持体１１２ａを駆動モータ１１１の回転軸に固定する。本実施例では、支持体１１２ａを傾斜状態で回転軸に固定するための一対の固定具１１２ｂを上記支持体１１２ａの側面に取り付け、当該固定具１１２ｂを介して、上記支持体１１２ａを駆動モータ１１１の回転軸に固定した。
【００３１】
上記支持体１１２ａ及び固定具１１２ｂが実施の形態１のクランク１１２に相当する。なお、支持体１１２ａの側面で回転板１１５を支持する構成を採用する場合には、上記支持体１１２ａの側面が水平面に対して傾斜した状態で当該支持体１１２ａを駆動モータの回転軸に固定することになる。更に、回転板１１５下方には、実施の形態１で説明した車輪１３０が装着される構成を採用しても構わない。本実施の形態では回転板１１５が水平面に対して傾斜しているので、回転板１１５下方から床までの高さが回転板１１５の位置によって異なる場合がある。そこで、実施の形態１の高さ調節手段１３１を介して回転板１１５に車輪１３０を取り付けることによって、回転板１１５下面から車輪１３０までの高さを調節する構成を採用することが望ましい。なお、本実施例の場合も、回転板１１５の自転を規制する規制手段１４０を設けてもよい。
【００３２】
更に、回転遊具２００の外枠には、衝撃吸収材が被覆され、当該衝撃吸収材の表面に、ゴム樹脂が塗布されることで、表面を撥水加工した衝撃吸収材により、外枠を被覆することができる。
【００３３】
（実施の形態３）
実施の形態１では、回転板１１５に遊戯部材１２０の遊戯部基体２１１（底板）を固定する構成を採用した。これに対して、回転板１１５を上方から吊下げる構成を採用することができる。
【００３４】
図４（Ａ）に示すように、連続的一体的に形成された逆「Ｕ」字形状の枠体２３０を形成する。もちろん、複数の枠体を組み合わせて上記枠体２３０を形成しても構わない。
次に、基体１１０（モータが配置される基体１１０を意味する）の前方後方を延伸し、当該基体１１０の両端から上記枠体２３０を鉛直に立設する。そして、上記枠体２３０上部の対称となる位置にワイヤー等のつり下げ部材２３５の一方端を接続し、他端を鉛直下方の回転板１１５に接続する。すなわち、上記回転板１１５は、基体１１０と上記駆動モータ１１１及び、クランク１１２を介して連結されており、且つ、上方から上記つり下げ部材２３５で吊下げられるという構成になっている。
【００３５】
つり下げ部材２３５は以下のように回転板１１５をつり下げることができる。すなわち、上記枠体２３０を一対形成し、図４（Ｂ）に示すように、たがいに交差するように上記基体１１０の端部から上記一対の枠体を立設する。
そして、枠体２３０の上方にリング２４０を配置し、当該リング２４０の円周に沿うように、且つ互いに対称となる位置に、上記つり下げ部材２３５を接続する構成を採用することができる。つり下げ部材２３５の他端は、回転板１１５に接続されることは言うまでもない。
【００３６】
上記回転板１１５下方には、実施の形態１で説明した駆動モータ１１１が配置される。そして、当該駆動モータ１１１の回転軸にはクランク１１２が取り付けられ、クランク１１２の他端に上記回転板１１５が固定されることになる。更に、基体１１０と、回転板１２１は、実施の形態１の規制手段１４０で接続されてもよい。なお、本実施の形態では、車輪を備える必要はない。
【００３７】
上記のように構成することで、駆動モータ１１１の作動により、当該駆動モータ１１１の回転軸が回転すると、クランク１１２の軸の内、駆動モータ１１１回転軸に固定されていない方の軸が偏心して回転することになる。更に、本実施例では、ユーザが、つり下げ部材２３５であるワイヤー等を揺動すると、ワイヤーに接続された回転板１１５が回転するようになっている。
【００３８】
更に、回転遊具２００の外枠には、衝撃吸収材が被覆され、当該衝撃吸収材の表面に、ゴム樹脂が塗布されることで、表面を撥水加工した衝撃吸収材により、外枠を被覆することができる。
図５には、遊戯部材２１０の他の構成を示した。当該遊戯部材２１０は、遊戯基体２１０上に立設した支柱２１２（支持台に相当する）と、当該支柱２１２の上端から支持アーム５２０を介して吊り下げられる把持部材５２２（ユーザが掴むことが可能な形状を備えた部材である）とを備える。
【００３９】
本実施例では、上記支柱２１２は、中空のパイプを用いて形成し、支柱２１２の中空部分に備えたモータ（回転装置１００に備えた駆動モータ１１１とは別のモータである）が回転すると、支柱２１２自体が回転するように構成されている。
更に、上記支持アーム５２０を複数形成し、それぞれの一端を支柱２１２の上面に接続する。それぞれの支持アーム５２０は、支柱２１２の中心軸から放射状且つ円周方向等間隔に配置される。上記各支持アーム５２０の上記一端近傍は、固定部材５２３で束ねられる。
【００４０】
上記支持アーム５２０に連結する把持部材５２２は、支柱２１２の外周面から一定間隔を隔てた位置に配置される。そして、把持部材５２２は、上記支柱２１２が回転すると（支柱２１２内部のモータの作動による回転を意味している。）、旋回移動するようになっている。把持部材５２２は、例えば、球状や環状、円柱状に形成されており、把持部材５２２の外周面、把持部材５２２の環状内周面などにユーザが掴まってぶら下がるようになっている。
【００４１】
更に、上記支柱２１２の周囲にはエアクッション５３０が配置される。ユーザが誤って
把持部材５２２から落下するようなことがあっても、当該エアクッション５３０によってユーザの衝撃を緩和し、怪我するのを効果的に防止することができる。
エアクッション５３０は、可撓性を有するシート部材からなり、ブロワ等により空気が充填されて膨らむと、中央部に半球状をした部分が形成され、その周りに大きさの異なる３つの環状をした部分が形成されるように構成されている。一番外側に位置する環状部分が外部にはみ出した状態で当該遊戯部材２１０の遊戯基体２１１が、回転装置１００の回転板１１５の上面に配置される。
【００４２】
図６に、その他の遊戯部材２１０を示す。この遊具２００は、遊戯基体２１１上に気球を模した遊戯部材２１０を配置したものである。
遊戯基体２１１上面に気球本体６３０を支持する気球支持台６１０を配置し、気球支持台６１０からロープを介して、把持部材５２２が吊下げられる。把持部材５２２は、気球本体６３０の中心軸周りに配置され、回転遊具２００の回転により旋回移動するように構成されている。
【００４３】
上記気球支持台６１０は、気球本体６３０を支持可能であれば、どのような形状であってもよいが、本実施例では、遊戯基体２１１から円周方向等間隔に複数の支柱２１２（図６に示すように支柱２１２上部を外側に反らせた形状を採用する）を配置する。そして、上記各支柱２１２をリング状の部材６１２で固定する。図６では各支柱２１２の上部、中間部、下部の３箇所で上記各支柱２１２を固定している。なお、支柱２１２上部に配置したリング状の部材６１２が、気球本体６３０を直接支持するようになっている。
【００４４】
図７は、遊戯部材２１０のその他の構成である。棒状をした複数の部材を縦，横に組み合わせて平面視８角形に構成された枠体２３０を形成する。枠体２３０外部には、仕切部材７１０を設ける。当該仕切部材７１０は、可撓性を有するシート状の部材から構成されるもので、枠体２３０を構成する各部材間に張り渡されており、その外面には図示しない装飾が施されてユーザの気を引くようになっている。また、仕切部材７１０には、外部空間と遊戯領域とを連通し且つユーザが出入り可能な開口部を形成してもよい。
【００４５】
枠体２３０には、水平方向にビーム７２０を張り渡し、隣り合うビーム間には、床部材７３０を固定する構成を採用する。
上記各床部材７３０は、可撓性を有するシート状の部材で構成され、遊戯領域を上下方向に３つの空間に仕切ようになっている。また、上下に隣り合う空間を互いに連通させる連通部を所定数設けることで、最上層の空間と真ん中の空間、及び真ん中の空間と最下層の空間とがそれぞれ連通し、ユーザが遊戯部材２１０内を移動可能となっている。
【００４６】
ユーザは、ジャングルジムのように、ビームに沿って横方向に移動したり、床部材７３０上を横方向に移動したり、連通部上下方向に移動することで遊ぶことができる。
【００４７】
（実施の形態４）
遊戯部材を揺動する揺動装置を回転板１１５に配置する構成を採用することもできる。図８は、揺動装置の概略模式図である。図８に示すように、本実施の形態の揺動装置は、下側枠体９００と、上側枠体９５０とを備える。
【００４８】
下側枠体９００は、矩形の枠体の直交する二辺を延伸させた形状であり、下側枠体９００の矩形部分９０１には、後述の下側軸受け９１０が載置可能な桟９０２を渡している。
上記下側枠体９００の矩形部分９０１に渡した桟９０２の両端付近に一対の下側軸受け９１０を配置する。更に、例えば、上方が開口した断面Ｕ字状の揺動部材９２０を形成し、当該揺動部材９２０の両側面に形成した孔に、上記下側軸受け９１０に軸支される下側シャフト９１５（下側回転軸に相当する）を貫通させる。上記下側シャフト９１５は、揺動部材９２０に貫通させた状態で固定する。したがって、下側シャフト９１５が所定角度回転すると、揺動部材９２０も対応する角度だけ揺動するようになっている。
【００４９】
上記のように、下側軸受け９１０に軸支された下側シャフト９１５の回転によって揺動する揺動部材９２０には、一対の軸受け（上側軸受け９２１）が更に載置される。すなわち、上記下側シャフト９１５に略直交する方向に、揺動部材９２０の長手方向を向け、当該揺動部材９２０の長手方向の両端付近に一対の上側軸受け９２１を載置する。上側軸受け９２１に軸支される上側シャフト９２３（上側回転軸に相当する）には、揺動板９２５が固定される。したがって、上側シャフト９２３が所定角度回転すると、当該揺動板９２５も対応する角度だけ揺動するようになっている。なお、上記揺動板９２５が上側枠体９５０に固定されることになる。
【００５０】
次に、上記揺動板９２５により固定される上側枠体９５０を揺動するための揺動用モータ９４０を固定する。上記のように、下側枠体９００の矩形部分９０１の直交する二辺が延伸されているので、延伸された二辺（延伸部分９０５）の一端部に回転装置１００の回転板１１５を介して、揺動用モータ９４０を取り付ける。下側枠体９００の上記延伸部分９０５に形成された隙間９４６に、回転装置１００の回転板１１５が嵌めこまれることになる。
【００５１】
更に、揺動用モータ９４０の回転軸にクランク機構９４３を取り付けることにより、揺動用モータ９４０が作動すると、揺動用モータ９４０に取り付けた揺動軸９４５が上下動を繰り返すようになっている。当該揺動軸９４５は、固定部材９４７を介して、上側枠体９５０を上下動させる構成になっている。
上記一対の揺動用モータ９４０は、下側枠体９００を延伸した二辺端部に設けられるので、揺動用モータ９４０が作動することで、揺動軸９４５が上下動すると、それに対応して、上側枠体９５０が揺動することになる。両揺動用モータ９４０の回転（振動数）のタイミングを制御することにより上側枠体９５０が前後及び左右に揺動する機構を構成することが可能となる。
【００５２】
上記のように構成した揺動装置が、実施の形態１で説明した回転装置１００に配置されることで、揺動しながら、偏心して回転する遊具を構成することが可能となる。
揺動装置の上側枠体９５０を備えた遊具としては、例えば以下のような構成が考えられる。回転板に固定された遊戯部基体２１１上方に映写装置９６０を取り付ける。例えば、複数の脚部９６０と、複数の脚部９６０に固定された円環９６５を形成し、円環９６５に映写幕張るための映写枠９６７を垂下する。本実施例では、図１０（Ａ）、（Ｂ）に示すように、映写枠９６７の上面視の形状を円環９６５の円弧と略同形状に形成した。図１０（Ｂ）に示すように、円環９６５上の上記映写枠９６７と対向する位置に、映写機９６８を備える。
【００５３】
上記映写装置９６０は、上方から吊下げられる構成を採用する。上記映写装置９６０を回転装置１００に配置した場合の高さより高い位置（例えば、図９に示す台座９８０）からチェーン９８６等を用いて映写装置９６０を吊下げる構成を採用する。
【産業上の利用可能性】
【００５４】
本発明を使用すると、モータの回転軸に、クランクを取り付けるという簡単な構成で遊具を偏心して回転させることが可能となる。上記の構成によれば、モータの回転軸を中心として、回転板が偏心して回転し、且つ、クランクが固定された位置を中心として、回転板が自転するという複雑な動きを回転遊具にさせることができる。更に、規制手段を備えることで、回転板の自転を止めることも可能となる。制御盤等の複雑な機構を必要とすることなく、ユーザが予想できない動作を行わせることが可能となり、メンテナンス等に優れた遊具を提供することが可能となる。したがって、その産業上の利用可能性は大きい。
【符号の説明】
【００５５】
１００  回転装置
１１０  基体
１１１  駆動モータ
１１２  クランク
１１５  回転板
１３０  車輪
１４０  回転規制手段
２００  回転遊具
２１０  遊戯部材
２３０  枠体
２３５  つり下げ部材
９００  上側枠体（揺動装置）
９１０  下側軸受け（揺動装置）
９１５  下側シャフト（揺動装置）
９２０  揺動部材（揺動装置）
９２１  上側軸受け（揺動装置）
９２３  上側シャフト（揺動装置）
９２５  揺動板（揺動装置）
９４０  遥動用モータ（揺動装置）
９５０  上側枠体（揺動装置）
９６０  映写装置
９６７  映写枠
９８０  台座
【図１】
0005435787.tif 000002
【図２】
0005435787.tif 000003
【図３】
0005435787.tif 000004
【図４】
0005435787.tif 000005
【図５】
0005435787.tif 000006
【図６】
0005435787.tif 000007
【図７】
0005435787.tif 000008
【図８】
0005435787.tif 000009
【図９】
0005435787.tif 000010
【図１０】
0005435787.tif 000011